(57)【特許請求の範囲】
【請求項１】
床に対して載置される基板と、該基板に対して前後に進退可能に立設された支柱と、該支柱に沿って上下移動可能な摺動体と、該摺動体に取り付けられ垂直面内を回転、傾斜自在に取り付けられた手摺模型とを有してなることを特徴とする高齢者・身体障害者用手摺施工補助具。
【請求項２】
基板にはさらに基板面内において開脚可能な補助脚を有していることを特徴とする請求項１記載の高齢者・身体障害者用手摺施工補助具。
【発明の詳細な説明】
【０００１】
【発明の属する技術分野】
この発明は住宅の壁、階段などに手摺を取り付けるときに利用する補助具に係り、特に高齢者・身体障害者用の手摺を取り付ける際に利用する補助具に関する。
【０００２】
【従来の技術】
住宅内の壁、階段あるいは浴室などには居住者が移動する際の安全確保のため、手摺が設けられる。この手摺は、通常、居住者の要求を満たすように、それぞれの取り付け場所において簡単な打ち合わせを行い手摺の高さ、形状、材質等を定め、しかる後工事施工をするようにしている。この事情は居住者が高齢者あるいは身障者等移動が不自由な者のために手摺を取り付ける場合にも同様であった。
【０００３】
【発明が解決しようとする課題】
しかしながら、高齢者等体の動きが不自由な者を階段や浴室などの手摺取り付け現場へ連れて行き現場合わせをするのは容易でないばかりか、時には危険を伴う。しかも体の動きが不自由な者の場合には、手摺の取り付け高さや階段・壁面からの距離、さらには手摺の形状（形や太さ）、材質などの要求も区々であり、かつ、それらの要求を明確にすることが困難であり、そのため使用者の要求を十分満たした手摺を取り付けることは困難であった。かつ、一旦取り付けた手摺を取り替えるのは大変な出費を伴い容易でなかった。
【０００４】
この発明は、このような高齢者など体の動きが不自由な者のために手摺を取り付ける場合に、できるだけ移動を伴わずに、手摺の現物をイメージしながらその取り付け位置や太さ、材質などを決定し、それに基づいて手摺取り付け工事のできる補助具を提案することを目的とする。
【０００５】
【課題解決のための手段】
本発明は、高齢者・身体障害者用手摺施工補助具を床に対して載置される基板と、該基板に対して前後に進退可能に立設された支柱と、該支柱に沿って上下移動可能な摺動体と、該摺動体に取り付けられ垂直面内を回転、傾斜自在に取り付けられた手摺模型とを有してなるものとする。また、上記基板にはさらに基板面内において開脚可能な補助脚を有せしめ、仕様の際の安定を高めるものである。
【０００６】
【発明の実施の形態】
以下、本発明をその１実施例に基づき具体的に説明する。図１は本発明に係る手摺施工補助具の概要を示す斜視図であって、基板１０に対して支柱２０が立設されており、該支柱２０上をスライドして上下する摺動体３０を介して手摺模型４０が取り付けられている。
【０００７】
基板１０は、床に対して載置され、後に説明する支柱、手摺模型等が取り付けられ、使用の際に大きな荷重が掛かるものである。したがって木材であれば例えば２０〜３０ｍｍ程度の長方形あるいは正方形の板状体で製作する。その際、奥側の２隅には切り込み部１１を有せしめるのがよい。この切り込み部１１は、本発明補助具を和室内で使用する際、和室内に出ている柱と合わせることができるようにするものである。これにより和室、洋室のいずれでも手摺模型の位置を常に壁面に合わせることができる。
【０００８】
基板１０には、その幅方向中央部に摺動部材１３が移動できる摺動体移動通路１２を設ける。この摺動体移動通路１２は、基板１０の幅方向ほぼ中央部を前後に延び摺動体１３を案内できる構造を持っていればよく、蟻溝あるいは長孔等が採用でき、これに対して摺動体１３が係合して移動できるようにする。
【０００９】
基板１０の４隅には、例えばねじ１７によって高さ調節可能な脚が設け、使用場所に凹凸などがあるとき、基板全体の安定を図ることができるようにするのがよい。板状体１０には、図２に示すように、板状体の面内で展開できる補助脚１４を付するのがよい。この補助脚１４によって、使用時に高齢者等が手摺模型を持って立ち上がったときの補助具の安定性が増す。さらに板状体の前面および摺動体移動通路１１に沿って目盛り１５、１６を付し、後に手摺取り付けのための要素を数値化できるようにする。
【００１０】
支柱２０は摺動部材１３の上に立て込まれる。その手段は問うところではなく、摺動部材と一体になったものを摺動体移動通路１１にはめ込んでもよい。ただし、使用時には手摺模型等から大きな力が掛かるので緩まないようにしっかり立て込む必要がある。また、使用時に支柱２０が前後に移動することのないようにねじ２１など適当な手段によって摺動体移動通路１１の所定箇所に固定できるようにする。
【００１１】
この支柱２０には、上下に摺動可能な摺動部材３０が取り付けられる。この摺動部材３０は、例えば、図３に示すように、支柱３０に嵌合しその上をスライドする枠体により製作することができ、ねじ３１を締め込むことによって任意の位置に固定可能にする。固定位置は支柱２０の前面に付された目盛り３２によって計測可能になっている。
【００１２】
摺動部材３０には、手摺模型４０を鉛直面内を回転、傾斜自在に取り付ける。例えば図３に示すように、摺動部材３０に対してボス３２を垂直に取り付け、ボス３２に対してリング部材３３を介して手摺模型４０を嵌合すればよい。さらに、手摺模型４０には任意の位置（回転位置）で固定できる固定手段３４を設け、、高齢者等が試しに掴まり立ちするときしっかり固定できるようにする。
【００１３】
手摺模型は形状、材質、サイズ等について多種類のものを準備する。形状については、通常の丸棒、角棒のほか、丸棒を握ることができない高齢者が押さえながら歩行する場合を考慮して板状のものも準備するのがよい。材質は木製、金属製、あるいはプラスティック製などをのほか、表面性状について例えばエンボスなどの滑り止めの付いたものも準備するとよい。また、サイズについては太さ、幅、厚さなどを変えて用意する。
【００１４】
上記のように構成された補助具は居室において以下のように使用する。本発明補助具を高齢者等手摺取り付け希望者の居室に持ち込み、手摺取り付け予定箇所の壁面に対して本発明補助具の後面側を押し当て、必要に応じて補助脚を開脚し、さらに高さ調整用ねじを用いて全体が安定するようにセットする。次に、手摺の種類、取り付け位置（壁面からの距離、床面からの高さ）、さらには、取り付け角度（横位置か、縦位置かを含む。）を手摺取り付け希望者の要求に従って定め、補助具を試験状態にする。上記により試験状態にされた状態で取り付け希望者に実際に掴まり立ち等の試験をしてもらい、不都合があれば上記各種の設置要素を変更して、最終的にほぼ要求が満足できるものとする。決定された設置要素は数値により記録し、これにより実際の工事を行う。
【００１５】
また、階段において以下のように使用する。本発明補助具を階段に持ち込み図４に示すようにその側面を階段の奥側の面５０に突き当ててセットする。その際、手摺取り付け希望者の身体状況や要求に従って手摺の種類、取り付け位置（階段の左側か右側か、側面からの距離、踏面からの高さ等）、さらには、手摺の取り付け角度を定め、補助具を試験状態にする。上記により試験状態にされた状態で取り付け希望者に実際に階段の昇降をしてもらい、不都合があれば上記各種の設置要素を変更して、最終的にほぼ要求が満足できるものとする。決定された設置要素は数値により記録し、これにより実際の工事を行う。数値の記録は基板１尾が階段の踏み面５１の前面と当たる位置▲１▼、摺動部材３０の支柱２０上の位置▲２▼および手摺模型４０の取り付け角度θ等について行う。なお、階段が回り階段となっている場合には回り部において階段の勾配が変わるので、上記のテストを勾配の変わる位置で必要に応じて行う。
【００１６】
【発明の効果】
本発明を利用することにより、例えば居室さらには階段において、実際の使用状態と極めて近い状態で手摺取り付け条件を確認できるできるので、体の不自由な高齢者、あるいは身体障害者に負担をかけることなく、しかも使用者の要求を十分満たした手摺を取り付けることが可能になった。それにより手摺の設置後に不都合が発見され、手摺を付け替え必要がなくなり、工事者、使用者双方の経済的負担が軽減された。
【図面の簡単な説明】
【図１】  本発明に係る手摺施工補助具の概要を示す斜視図である。
【図２】  基板の概略を示す平面図である。
【図３】  支柱に対する摺動部材および手摺模型の取り付け状況を示す断面図である。
【図４】  本発明に係る手摺施工補助具の階段での使用状態を示す側面図である。
【符号の説明】
１０：基板
１１：切り込み部
１２：摺動体移動通路
１３：摺動体
１４：補助脚
１５，１６：目盛り
２０：支柱
２１：ねじ
２２：目盛り
３０：摺動体
３１：ねじ
３２：ボス
３３、３４：ねじ
４０：手摺模型
５０：階段突き当たり面
５１：階段踏み面
【図１】
0004315518.tif 000002
【図２】
0004315518.tif 000003
【図３】
0004315518.tif 000004
【図４】
0004315518.tif 000005